(57)【特許請求の範囲】
【請求項１】
貯蔵室内を上下に分け、食品等を載置収納するように設けられる棚を前後方向へ伸縮可能で後端支軸を中心に回動自在な伸縮自在棚にした冷蔵庫において、前記伸縮自在棚は回転支軸を有しこの回転支軸を中心に回動する上面が平坦状の後棚と、この後棚の下に収納自在に前後方向へ摺動可能な上面が平坦状の前棚とで構成し、前記後棚の回転支軸はこの後棚の中央寄りに配置されるとともに、上方の開口した軸受け部で枢支され、この軸受け部は前方に斜めに傾斜した凹みで形成されていることを特徴とする冷蔵庫等の棚装置。
【発明の詳細な説明】
【０００１】
【発明の属する技術分野】
この発明は冷蔵庫等の棚装置に関する。
【０００２】
【従来の技術】
従来のこの種冷蔵庫は例えば実公平１−２５２７３号公報に記載されているように、上下に２分し食品を載置収納するよう設けた棚を左右に分け片側を普通の網棚、他側に前後方向へ伸縮可能の伸縮自在棚を備え、この伸縮自在棚を前記棚の後方に固着された枠にはめ込まれる支軸を後端に有しこの支軸を中心に回動する後棚と、この後棚の下に収納自在に前後方向へ摺動可能な前棚とで構成し、この前棚を後棚に収納した状態で支軸を中心に回動させて大きな食品を収納できるようにしている。
【０００３】
【発明が解決しようとする課題】
しかしながら、従来の冷蔵庫の棚では後棚の後端に回動の中心となる支軸を設けているため、棚の回転半径が大きく棚の間隔を広くしなければ回動させられない問題があった。
【０００４】
この発明は上記の問題を解決するもので、棚の回転半径を小さくできるようにするとともに、背壁と棚との間隔を狭くさせられるようにした冷蔵庫等の棚装置を提供することを目的とする。
【０００５】
【課題を解決するための手段】
請求項１の発明では、貯蔵室内を上下に分け、食品等を載置収納するように設けられる棚を前後方向へ伸縮可能で後端支軸を中心に回動自在な伸縮自在棚にした冷蔵庫において、前記伸縮自在棚は回転支軸を有しこの回転支軸を中心に回動する上面が平坦状の後棚と、この後棚の下に収納自在に前後方向へ摺動可能な上面が平坦状の前棚とで構成し、前記後棚の回転支軸をこの後棚の中央寄りに配置するとともに、上方の開口した軸受け部で枢支し、この軸受け部を前方に斜めに傾斜した凹みで形成し、前記前棚を後棚に収納して伸縮自在棚を立てるときに回転支軸を中心に回転半径を小さく回動させられるとともに、背壁と棚との間隔を狭くさせられるようにしている。
【０００６】
【発明の実施の形態】
以下この発明を図に基づいて説明する。
【０００７】
図１はこの発明の一実施例を示す冷蔵庫の断面図である。図２はこの発明の冷蔵室の要部切欠斜視図である。図３はこの発明の伸縮自在棚の後棚を示す斜視図である。図４はこの発明の伸縮自在棚の後棚を下から見た斜視図である、図５はこの発明の伸縮自在棚の前棚を示す斜視図である。図６はこの発明の棚レールを示す斜視図である。図７はこの発明の棚レれールを示す側面図である。図８はこの発明の伸縮自在棚の引き出した状態を示す断面図である。図９はこの発明の伸縮自在棚の前棚を後棚内に収納した通常の状態を示す断面図である。図１０はこの発明の伸縮自在棚を最大に収納した状態を示す断面図である。図１１はこの発明の伸縮自在棚を後ろ上方に回動させた状態を示す断面図である。
【０００８】
１は冷蔵庫で、この冷蔵庫は前方に開口する鋼板製の外箱２と、この外箱内に間隔を存して組み込まれる前方に開口する硬質合成樹脂製の内箱３と、両箱２，３間に現場発泡方式にて充填された発泡ポリウレタン断熱材４とから本体５が構成されている。内箱３は仕切壁６にて上下に区画され、上側に冷蔵室７が、下側に冷凍室８が形成されている。そして、冷蔵室７の前面開口は扉９で、冷凍室８の前面開口は引き出し扉１０にて開閉自在に閉塞されている。
【０００９】
１１は冷蔵室７内を上下に区画する複数の棚で、この棚の１つはプラスチック製の伸縮自在棚１２で形成されている。
【００１０】
伸縮自在棚１２は上面に食品を載置する平坦状の上面板１３とこの上面板の両側に設けられた側板１４とこの側板の下部から内方に折曲された底板１５とこの底板の前方に設けられた立ち上がり片１６と底板１５の下端に設けられた回転支軸１７とを備えた後棚１８と、この後棚の下に収納自在に前後方向へ摺動可能な上面に食品を載置する平坦状の上面板１９とこの上面板の後方に形成された段部２０と上面板１９の前方に形成され伸縮時に指を掛ける把手部２１と上面板１９の両側に設けられた側板２２とを備えた前棚２３とで構成されている。回転支軸１７は後棚１８の中央寄りに形成されている。
【００１１】
２４は本体５の内壁に内方に突出して形成される棚レールで、この棚レールには伸縮自在棚１２が載置されている。そして、伸縮自在棚１２は前棚２３を後方にスライドさせてこの前棚を後棚１８内に収納して重ね合わせて縮小できるようにされている。
【００１２】
棚レール２４の後端には後棚１８の回転支軸１７を枢支する上方を開口した軸受け部２５が設けられている。この軸受け部の後方には棚レール２４が設けられないようにし、伸縮自在棚１２の回動の逃がし部２６としている。
【００１３】
軸受け部２５は伸縮自在棚１２が水平に載置されているときに回転支軸１７を受ける円弧面２５Ａと、伸縮自在棚１２を立てるときに回転支軸１７が手前に移動する前方に凹んだ凹部２５Ｂとで斜め前方に傾斜して形成されている。
【００１４】
前棚２３の側板２２には前方の棚レール２４に設けられた突起２７に係止して引き出し時に後方への移動を防止するとともに、棚レール２４に載置する把手部２１に設けられた係止片２８と、立ち上がり片１６に載置して前棚２３の上面板１９を後棚１８の上面板１３と同一面にする段部２０に設けられたテーパー状の載置片２９と、この載置片の後方で立ち上がり片１６に対向する載置用のストッパー片３０と、前棚２３を後棚１８内に収納するときに立ち上がり片１６上を移動するとともに、この立ち上がり片に係止するストッパー３１を有するガイド片３２とで形成されている。
【００１５】
３３は前棚２３の上面板１９の前方下面に設けられた浮き上がり防止用の係止爪で、この係止爪は先端を棚レール２４の下に位置させ前棚２３と一緒にこの棚レールを挟持した状態で前後方向に動くようにしている。
【００１６】
棚レール２４には後棚１８の底板１５に下方に突出したガタツキ防止片３４を収容するとともに、係止爪３２を逃がす２段構造の切欠３５が形成されている。
【００１７】
このように構成された冷蔵庫等の棚のストッパー装置において、伸縮自在棚１２は前棚２３を手前に引き出すことにより、後棚１８の立ち上がり片１６に載置片２９を載置するとともに、ストッパー片３０を立ち上がり片１６で規制し、段部２０によって重なり部を逃がして後棚１８の上面板１３と前棚２３の上面板１９とを同一面にして棚１１全面に食品を載置できるようにするとともに、前棚２３が後棚１８から外れないようにしている。
【００１８】
また、伸縮自在棚１２は前棚２３を後棚１８内に収納した状態あるいは収納した状態で回転支軸１７を支点に回動させることにより、冷蔵室７内に高さが高い食品を入れられるようにしている。
【００１９】
伸縮自在棚１２は前棚２３と係止爪３３とで棚レール２４を挟持することにより、回転支軸１７を支点とする浮き上がりを抑えることができ、従来前棚２３を引き出したときに必要であった棚レールの上部分を廃止できるようにされている。そのため、伸縮自在棚１２は全開状態のときの食品置きスペースを広くできるようにされている。
【００２０】
また、前棚２３の係止爪３３は伸縮自在棚１２の浮き上がりを防止することにより、後棚１８の回転支軸１７をこの後棚の中央寄りに位置させることができ、伸縮自在棚１２の回動半径を小さくさせられ、伸縮自在棚１２に隣り合うの棚１１の上下の間隔を狭くでき、冷蔵室７の内容積を変えずに棚１１の数をふやすことができるようにしている。
【００２１】
軸受け部２５は斜め前方に傾斜し、伸縮自在棚１２を水平に載置するときに受ける円弧面２５Ａと伸縮自在棚１２を立てるときに回転支軸１７が手前に移動する凹部２５Ｂを設けることにより、伸縮自在棚１２の回転位置が前にきて背壁と伸縮自在棚１２の間隔を狭くさせられ、伸縮自在棚１２を大きくできるようにしている。
【００２２】
棚レール２４の切欠３５は２段構造にすることにより、後棚１８の底板１５の下部に設けたガタツキ防止片３４を位置させて後棚１８の左右方向のずれを規制できるとともに、前棚２３を後棚１８内に収納したときに係止爪３３で伸縮自在棚１２の浮き上がりを規制できるようにしている。
【００２３】
ガイド片３２のストッパー３１は前棚２３の収納時に立ち上がり片１６に係止することにより、前棚２３を係止爪３３が奥行きの深いに２段構造の切欠３５に位置しないようにして伸縮自在棚１２が浮き上がらないようにしている。
【００２４】
尚、上記説明においては、伸縮自在棚１２を冷蔵室７内全幅に設けるように説明したが、伸縮自在棚を棚１１の半分にしても良いことは言うまでもない。
【００２５】
【発明の効果】
請求項１の発明によれば、貯蔵室内を上下に分け、食品等を載置収納するように設けられる棚を前後方向へ伸縮可能で後端支軸を中心に回動自在な伸縮自在棚にした冷蔵庫において、前記伸縮自在棚は回転支軸を有しこの回転支軸を中心に回動する上面が平坦状の後棚と、この後棚の下に収納自在に前後方向へ摺動可能な上面が平坦状の前棚とで構成し、前記後棚の回転支軸をこの後棚の中央寄りに配置するとともに、上方の開口した軸受け部で枢支し、この軸受け部を前方に斜めに傾斜した凹みで形成し、前記前棚を後棚に収納して伸縮自在棚を立てるときに回転支軸を中心に回転半径を小さく回動させられるとともに、背壁と棚との間隔を狭くさせられるようにでき、伸縮自在棚を大きくできる。
【図面の簡単な説明】
【図１】この発明の一実施例を示す冷蔵庫の断面図である。
【図２】この発明の冷蔵室の要部切欠斜視図である。
【図３】この発明の伸縮自在棚の後棚を示す斜視図である。
【図４】この発明の伸縮自在棚の後棚を下から見た斜視図である、
【図５】この発明の伸縮自在棚の前棚を示す斜視図である。
【図６】この発明の棚レールを示す斜視図である。
【図７】この発明の棚レールを示す側面図である。
【図８】この発明の伸縮自在棚の引き出した状態を示す断面図である。
【図９】この発明の伸縮自在棚の前棚を後棚内に収納した通常の状態を示す断面図である。
【図１０】この発明の伸縮自在棚を最大に収納した状態を示す断面図である。
【図１１】この発明の伸縮自在棚を後ろ上方に回動させた状態を示す断面図である。
【符号の説明】
１  冷蔵庫
７  冷蔵室
１１  棚
１２  伸縮自在棚
１３，１９  上面板
１７  回転支軸
１８  後棚
２３  前棚
２４  棚レール
２５  軸受け部
２５Ａ  凹部
【図１】
0003573887.tif 000002
【図２】
0003573887.tif 000003
【図３】
0003573887.tif 000004
【図４】
0003573887.tif 000005
【図５】
0003573887.tif 000006
【図６】
0003573887.tif 000007
【図７】
0003573887.tif 000008
【図８】
0003573887.tif 000009
【図９】
0003573887.tif 000010
【図１０】
0003573887.tif 000011
【図１１】
0003573887.tif 000012